(57)【要約】【課題】農場の出入口より鹿や猪などの野生動物が侵入し、農作物を食い荒らすことによる被害を防止するために上記出入口に設置され、野生動物が侵入するのを防止する動物侵入防止装置を提供する。【解決手段】農場の出入口に細板状の主部材３と、等間隔で並設される主部材３の両端を連結する端板４と、端板間の主部材上に主部材３と直交して等間隔で固着されるツイストバー５とよりなる格子状の溝蓋状盤体６を設置する。主部材２と、ツイストバー５とにより形成される開口は、人の脚は入らないが、野生動物の脚が入る矩形をなし、開口下方の主部材間には、ローラ９が横架され、野生動物が開口に脚を踏み入れ、ローラ９に当たると回転するようにする。【選択図】図１
2011160732.tif 000002
【特許請求の範囲】
【請求項１】
車両や人が通行する通路に、該通路を通って野生動物が侵入するのを防止するために設置される動物侵入防止装置であって、前記通路に設置される受枠と、該受枠に設置され、野性動物の脚が入る程のサイズの開口を多数備えた溝蓋状盤体と、該盤体下の受枠内に設置され、野生動物の脚が前記開口を通して踏み込み、当たると回転又は移動する可動体とからなることを特徴とする動物侵入防止装置。
【請求項２】
車両や人が通行する通路に、該通路を通って野生動物が侵入するのを防止するために設置される動物侵入防止装置であって、前記通路に設置され、野性動物の脚が入る程のサイズの開口を多数備え、開口下部又は開口下方に該開口を通して野生動物の脚が踏み込み当たると、回転する回転体を設けた溝蓋状盤体からなることを特徴とする動物侵入防止装置。
【請求項３】
車両や人が通行する通路に、該通路を通って野生動物が侵入するのを防止するために設置される動物侵入防止装置であって、前記通路に設置され、野性動物の脚が入る程のサイズの開口を多数備えた溝蓋状盤体を有し、該盤体内又は通路に沿って並設される盤体間には野生動物の脚が踏み込んで当たると、回転する回転体が設けられることを特徴とする動物侵入防止装置。
【請求項４】
野生動物の侵入方向に沿って複数並べて設置され、１度のジャンプでは飛び越えられないような長さにすることを特徴とする請求項１ないし３記載の動物侵入防止装置。
【発明の詳細な説明】
【技術分野】
【０００１】
本発明は、例えば農地の出入口や鉄道の踏切等、車両や人が出入りする箇所に設置され、鹿や猪などの野生動物が農地や線路内に侵入するのを防止する目的で設置される動物侵入防止装置に関する。
【背景技術】
【０００２】
鹿や猪等の野生動物による農作物への被害を防止する対策としては、農地の周りに柵や鉄条網等のフェンスを設置するのが一般的である。鉄道においても、線路脇にフェンスを設置し、人や動物が立ち入ることによる列車の運行が妨げられることがないようにしている。
【０００３】
柵や鉄条網等のフェンスは、設置が比較的簡単で、鹿や猪などの野生動物が侵入するのを防止する効果があるが、農地の出入口や踏切等に設置すると、車両や人の行き来に支障を来たす。そこで農地の出入口の場合、開閉可能なドアフェンスを設けているが、出入りする都度ドアフェンスを開閉するのは面倒であり、ドアフェンスを閉め忘れて、そこから野生動物が侵入することもある。
【０００４】
鹿などの野生動物は、脚を負傷すると、生命にかかわるため、脚を負傷することを極端に嫌う習性がある。特許文献１には、野生動物のこの習性を利用し、車両や人の通行には支障がないが、野生動物の脚が入るほどの窪みを多数形成したハニカム状又は格子状をなす踏板を通路に設置し、野生動物が踏板に脚を踏み入れることによる警戒心を懐かせて侵入防止を図るようにしたものが提案されている。
【先行技術文献】
【特許文献】
【０００５】
【特許文献１】特開平１０−２０１４０９号公報
【発明の概要】
【発明が解決しようとする課題】
【０００６】
特許文献１に開示される踏板は、設置当初こそ鹿や猪などの野生動物は警戒心から踏板手前で踏み留まり、脚を踏み入れることはないが、馴れると、次第に脚を踏み入れ、踏板を渡って侵入したり、ジャンプして踏板を飛び越えて侵入するものが見られるようになる。
【０００７】
野生動物が踏板を飛び越えて侵入するのを防止する対策としては、パネルの長さを長くしたり、踏板を野生動物の侵入方向に複数枚並べて接続し、１度のジャンプでは飛び越えられないような長さにすることが考えられるが、踏板を長く形成するのは製作、運送及び施工上の観点から好ましくないし、ジャンプを繰り返して渡られる場合の有効な防止対策とならない。
【０００８】
本発明は、野生動物の侵入をより確実に防止することができる動物侵入防止装置を提供することを目的とする。
【課題を解決するための手段】
【０００９】
請求項１に係わる発明は、車両や人が通行する通路に、該通路を通って野生動物が侵入するのを防止するために設置される動物侵入防止装置であって、前記通路に設置される受枠と、該受枠に設置され、野性動物の脚が入る程のサイズの開口を多数備えた溝蓋状盤体と、該盤体下の受枠内に設置され、野生動物の脚が当たると回転又は移動する可動体とからなることを特徴とする。
【００１０】
請求項２に係わる発明は、車両や人が通行する通路に、該通路を通って野生動物が侵入するのを防止するために設置される動物侵入防止装置であって、前記通路に設置され、野性動物の脚が入る程のサイズの開口を多数備え、開口下部又は開口下方に該開口を通して野生動物の脚が踏み込み当たると、回転するボール、コロ又はローラ等よりなる回転体を設けた溝蓋状盤体からなることを特徴とする。
【００１１】
請求項３に係わる発明は、車両や人が通行する通路に、該通路を通って野生動物が侵入するのを防止するために設置される動物侵入防止装置であって、前記通路に設置され、野性動物の脚が入る程のサイズの開口を多数備えた溝蓋状盤体を有し、該盤体内又は通路に沿って並設される盤体間には野生動物の脚が踏み込んで当たると、回転するボール、コロ又はローラ等よりなる回転体が好ましくは盤体表面より若干引込んだ状態で設けられることを特徴とする。
【００１２】
請求項４に係わる発明は、請求項１ないし３に係る発明において、野生動物の侵入方向に沿って複数並べて設置され、１度のジャンプでは飛び越えられないような長さにすることを特徴とする。
【発明の効果】
【００１３】
請求項１に係わる発明によると、野生動物が盤体に踏み込み、開口を通して脚を踏み入れるようなことがあっても可動体に触れ、該可動体が回転したり、移動して脚を取られることにより野生動物に恐怖心を与え、それ以上進入するのを思い留まらせることができ、開口に脚を抜き差しして盤体を通り抜け侵入するのを確実に防ぐことができる。また開口は、野性動物の脚は入っても人の脚が入らないほどのサイズにすれば、車両の車輪も一般に人の脚のサイズより大きいから、盤体下の可動体に人の脚や車両の車輪が触れて転倒したり、スリップすることはなく、車両や人の通行に支障を来たすことはない。
【００１４】
請求項２及び３に係わる発明においても、請求項１に係わる発明と同様、回転体を設けたことにより野生動物の侵入を確実に防ぐことができ、また請求項１に係わる発明のような受枠を不要にでき、装置を設置するための通路の掘削量も少なくでき、施工に要する工事が少なくなって施工コストを低減させることができる。
【００１５】
請求項４に係わる発明によると、野生動物がジャンプを繰り返して渡ろうとし、その脚が可動体に当たると、脚元が不安定になるから、次のジャンプがしにくくなり、また野生動物に恐怖心を与えることにより侵入をより確実に防ぐことができる。
【００１６】
なお、従属項の請求項４を除く請求項１〜３に係わる発明は、いずれも動物の脚が当たると動く可動体を設けて脚を取られるようにし、これにより野生動物が侵入するのを思い留まらせるようにした共通の特別な技術的特徴を有しており、発明の単一性の要件を満たしているものである。
【図面の簡単な説明】
【００１７】
【図１】本発明に係わる動物侵入防止装置の斜視図。
【図２】通路に設置した動物侵入防止装置の一半の断面図。
【図３】通路に設置した図１のＡ−Ａ線における断面図。
【図４】通路に設けた動物侵入防止装置の別の例の平面図。
【図５】動物侵入防止装置の更に別の例の斜視図。
【図６】図５に示す動物侵入防止装置の要部の断面図。
【発明を実施するための形態】
【００１８】
以下、本発明の実施形態の動物侵入防止装置について図面により説明する。
図１は、動物侵入防止装置１の全体構成を示すものであり、図２は通路２に設置された同装置１の一半を示し、また図３は、通路２に設置した図１のＡ−Ａ線における断面を示すもので、動物侵入防止装置１は、細板状の主部材３と、等間隔で並設される主部材３の両端を連結する端板４と、端板間の主部材上に主部材３と直交して等間隔で固着されるツイストバー５とよりなる格子状の溝蓋状盤体６を有し、主部材２と、ツイストバー５とにより形成される開口は、人の脚は入らないが、動物の脚は入るほどのサイズ、例えば１００mm四方程度の矩形をなし、主部材２により走行する車両の重量に耐え得る程の充分な強度を備えている。そして開口下方の主部材間には、端板間に軸８が横架され、軸８には可動体であるローラ９よりなる回転体が回転自在に取付けられている。
【００１９】
本実施形態の装置によると、野生動物が盤体に入り、開口に踏み込んだ脚がローラ９に当たると、ローラ９が回転することで脚を取られるようになり、これにより動物に恐怖心を与えて、それ以上、進入するのを思い留まらせることができ、盤体を農地の出入口や踏切に設けた場合、野生動物が農地内や線路上に侵入するのを防止することができること、開口は人の脚が入らないサイズであるため、人の脚がローラ９に触れて転倒することによる危険性がないこと、主部材２により充分な強度を有するため、車両の走行に支障を来たすことがないこと、通路に設置する際には、通路を盤体が納まる程度掘削すればよく、掘削量が少なくてすみ、施工コストを低減させることができること、等の効果を有する。
【００２０】
前記実施形態の溝蓋状版体６は、主部材２とツイストバー５により形成されているが、ツイストバー５を主部材２と同じ細板状部材で形成して開口を升状にしてもよいし、主部材２とツイストバー５を狭い板幅、例えば図示する主部材２の板巾の１／３程度の板巾として盤体の上側部に配設してもよい。前者の溝蓋状盤体では、回転体のローラは細板状部材で形成される矩形の開口内下部にそれぞれ個別に配設されるようになり、後者の溝蓋状盤体では、ローラは盤体の下側部に図示する実施形態と同様にして配設される。
【００２１】
前記実施形態の溝蓋状の盤体６はまた、主部材２とツイストバー５で格子状に形成され、開口が矩形をなしているが、ハニカム状で、開口が多角形に形成されていてもよいし、枠上部に固定されるプレートに多数の円形、楕円形、多角形当の開口を形成したものであってもよい。
【００２２】
前記実施形態の図２に示される溝蓋状盤体６は、通路２を横断して、その全域に設けられているものではないが、通路２を横断して通路全域に設置するのが望ましい。前者の場合、野生動物は溝蓋状盤体６を迂回して通ることが可能であるが、通路全域に設置すると、野生動物の侵入を完全に遮断することができる。
【００２３】
別の実施形態の動物侵入防止装置においては、矩形の受枠と、格子状又はハニカム状をなして、受枠上部に装着される溝蓋状盤体と、受枠下部に配設されるローラより構成される。
本実施形態の侵入防止装置においては、溝蓋状盤体として既存のグレーチングをそのまま用いることができる。
【００２４】
前記各実施形態の動物侵入防止装置においては、可動体としてローラを例示しているが、ボールやコロ或いはその他の可動体を用いてもよい。こうした可動体は、その種類によって、例えばボールの場合、盤体や受枠に軸支しないで、単に盤体下の地面や受枠の底に配備してもできる。
【００２５】
図４は、別の実施形態の動物侵入防止装置を示すもので、中央部のツイストバー５を除去して該除去部分にローラ１１を歩行者の脚が触れない程度に盤体上面より引込めて横架してなる盤体１２を横向きに並設してなるものである。
【００２６】
図５は、更に別の実施形態の動物侵入防止装置を示すもので、図１に示すように、主部材３とツイストバー５によって短形の開口を形成してなる格子状の溝蓋状盤体６よりなり、該溝蓋状盤体６のには、一つおきの開口にローラ１４が、図６に示すように歩行者の脚が触れない程度に盤体上面より引込めて回転自在に取付けられている。
【００２７】
更に別の実施形態の動物侵入防止装置においては、通路に沿って並設される格子状の溝蓋状盤体と、該盤体間に配置される回転体としてのローラとより構成される。
本実施形態の動物侵入防止装置においても、溝蓋状盤体には既存のグレーチングをそのまま用いることができる。
【００２８】
更に別の実施形態の動物侵入防止装置においては、前述する溝蓋状盤体６、１２が野生動物の侵入方向に沿って複数並べて設置され、１度のジャンプでは飛び越えられないような長さにする。
本実施形態によると、ジャンプを繰返して渡ろうとしても脚が溝蓋状盤体６、１２のローラ９、１１、１４に当たると、該ローラが回転して脚元が不安定となり、野生動物に恐怖心を与えると共に、次のジャンプが困難になり、侵入をより確実に防ぐことができる。
【００２９】
前記実施形態の溝蓋状盤体６、１２には、少なくともその表面を黒く着色して夜間において、野生動物がジャンプする際の目標箇所を見え難くするのが望ましい。
【産業上の利用可能性】
【００３０】
本発明の動物侵入防止装置は、農地の出入口や鉄道の踏切に好適に設けられる。前者の農地の出入口に設置した場合、出入口にドアフェンスを設ける必要がなくなり、車両や人の出入りが自由に行われ、ドアフェンスの閉め忘れによる野生動物の農地内への侵入を防ぎ、農作物への被害を防ぐことができる。また後者の鉄道の踏切に設置した場合、野生動物が踏切より線路内に入り込んで列車の運行を妨げるのを防ぐことができる。
【符号の説明】
【００３１】
１・・動物侵入防止装置
２・・通路
３・・主部材
４・・端板
５・・ツイストバー
６、１２・・溝蓋状盤体
８・・軸
９、１１、１４・・ローラ
【図１】
2011160732.tif 000003
【図２】
2011160732.tif 000004
【図３】
2011160732.tif 000005
【図４】
2011160732.tif 000006
【図５】
2011160732.tif 000007
【図６】
2011160732.tif 000008